(57)【要約】【課題】小型、低背、低価格で落下衝撃などによる破損の可能性が少ない水晶発振器およびそれを用いた電子装置を提供する。【解決手段】平面状の底面に第１の接続電極１１が設けられたパッケージを有する水晶振動子２を、一方主面に回路部品が搭載されるとともに第１の接続電極１１と１対１で対応する第２の接続電極８が設けられた平板状の回路基板１上に搭載する。その際、水晶振動子２は回路基板１に搭載された最も背の高い回路部品であるトランジスタ５ａとバリキャップダイオード５ｂを支持台として、その天面で支えられる。水晶振動子２と回路基板１は、第１の接続電極１１と第２の接続電極８の間に設けられたはんだ３を介して電気的に接続される。はんだ３は水晶振動子２を回路基板１の方に引きつける機能も有する。【選択図】            図１
2004222206.tif 000002
【特許請求の範囲】
【請求項１】
平面状の底面に第１の接続電極が設けられたパッケージを有する水晶振動子と、一方主面に回路部品が搭載されるとともに前記第１の接続電極と１対１で対応する第２の接続電極が設けられた平板状の回路基板とを有し、前記水晶振動子は、前記回路基板上において、前記回路基板に搭載された少なくとも１つの支持台の天面と接触することによって機械的に支持されるとともに、前記第１の接続電極が前記回路基板の前記第２の接続電極とはんだを介して電気的に接続されており、
前記支持台の中の最も背の高いものが前記回路部品からなることを特徴とする水晶発振器。
【請求項２】
前記支持台の全てが前記回路部品からなることを特徴とする、請求項１に記載の水晶発振器。
【請求項３】
全ての前記支持台の高さが略一致していることを特徴とする、請求項１または２に記載の水晶発振器。
【請求項４】
最も背の高いものを除く一部の前記支持台の上にスペーサが貼り付けられていることを特徴とする、請求項３に記載の水晶発振器。
【請求項５】
前記支持台として用いられる前記回路部品が樹脂モールド部品であることを特徴とする、請求項１ないし４のいずれかに記載の水晶発振器。
【請求項６】
前記支持台は、前記第１の接続電極と前記第２の接続電極を接続するはんだの無い状態においても、前記水晶振動子を前記回路基板上に支持しうる位置に配置されていることを特徴とする、請求項１ないし５のいずれかに記載の水晶発振器。
【請求項７】
前記第１の接続端子および前記第２の接続端子が、それぞれ前記水晶振動子および前記回路基板の最外縁より内側に位置することを特徴とする、請求項１ないし６のいずれかに記載の水晶発振器。
【請求項８】
請求項１ないし７のいずれかに記載の水晶発振器を用いたことを特徴とする電子装置。
【発明の詳細な説明】
【０００１】
【発明の属する技術分野】
本発明は、水晶発振器および電子装置、例えば携帯電話のＲＦ回路に含まれるＰＬＬ回路部分の基準信号源として用いられる水晶発振器およびそれを用いた電子装置に関する。
【０００２】
【従来の技術】
基準信号源として用いられる水晶発振器としては、水晶振動子を共振子とし、これに発振回路や温度補償回路などを構成する回路部品を組み合わせて構成するものが広く知られている。水晶振動子は、通常はセラミックなどのパッケージに電極の形成された水晶片などを実装、封入して構成される。また、回路部品は、セラミックなどからなる回路基板上に搭載する必要がある。そして、この両者を何らかの方法で一体にすることによって発振器が構成される。
【０００３】
水晶振動子と回路基板を一体化した水晶発振器としては、例えば特許文献１、特許文献２、特許文献３に記載されたものがある。
【０００４】
特許文献１においては、箱形のセラミックの凹部の底に配線を行うことによって回路基板とし、配線上に回路部品を搭載し、さらに箱形のセラミックの上にほぼ同形状にパッケージングされた水晶振動子をのせて一体化している。すなわち、特許文献１においては、水晶振動子は箱形のセラミックの４つの側壁によって支持されていることになる。
【０００５】
また、特許文献２においては、底面にある程度の高さまで突出した外部端子を有する水晶振動子を平板状の回路基板に形成された水晶振動子搭載電極上に搭載している。回路基板上には外部端子の高さの分だけ水晶振動子との間に隙間があり、この隙間に回路部品が実装されている。回路部品としては、低背化のために集積回路が用いられる。そして、回路基板と水晶振動子の間の隙間には、回路部品および水晶振動子の外部端子を覆うようにアンダーフィル樹脂が充填されている。回路基板の底面にも外部端子があるが、水晶振動子の外部端子とは平面視で重なっていない。
【０００６】
また、特許文献３においては、平板状の回路基板の上に柱部材を搭載し、この柱部材の上に水晶振動子を搭載している。柱部材は水晶振動子のパッケージと一体でも別体でも良い。柱部材は回路基板と水晶振動子との電気的な接続の機能を兼ねている。そして、柱部材の位置は、回路基板の底面の外部端子と平面視で重なっている。
【０００７】
【特許文献１】
特開２００１−１７７３４５号公報
【特許文献２】
特開２００２−８４１３８号公報
【特許文献３】
特開２００２−６４３３３号公報
【０００８】
【発明が解決しようとする課題】
ところで、特許文献１においては、箱形のセラミックを回路基板として用いているために、回路基板の低価格化が難しい。また、箱形の回路基板の凹部の底に回路部品を搭載するのは、平板上に搭載する場合に比べてはるかに困難で、作業コストの低減も難しい。さらには、箱形の回路基板の４つの側壁の厚さの分だけ回路基板の面積を大きくする必要があり、水晶発振器の小型化の妨げになるという問題もある。
【０００９】
また、特許文献２においては、水晶振動子のケースに突出した外部端子を設けているために、水晶振動子の価格が高くなるという問題がある。
【００１０】
さらに、特許文献３においては、水晶振動子を柱部材のみで支持するために、強度的に弱い部分がある。また、柱部材を水晶振動子のパッケージと一体に形成した場合には、強度は向上するが、水晶振動子のパッケージが高コストになる。
【００１１】
そこで、本発明は上記の問題点を解決することを目的とするもので、小型、低背、低価格で落下衝撃などによる破損の可能性が少ない水晶発振器およびそれを用いた電子装置を提供する。
【００１２】
【課題を解決するための手段】
上記目的を達成するために、本発明の水晶発振器は、平面状の底面に第１の接続電極が設けられたパッケージを有する水晶振動子と、一方主面に回路部品が搭載されるとともに前記第１の接続電極と１対１で対応する第２の接続電極が設けられた平板状の回路基板とを有し、前記水晶振動子は、前記回路基板上において、前記回路基板に搭載された少なくとも１つの支持台の天面と接触することによって機械的に支持されるとともに、前記第１の接続電極が前記回路基板の前記第２の接続電極とはんだを介して電気的に接続されており、前記支持台の中の最も背の高いものが前記回路部品からなることを特徴とする。もちろん、前記支持台の全てが前記回路部品からなっても構わない。
【００１３】
そして、本発明の水晶発振器は、全ての前記支持台の高さが略一致していることが望ましい。そのために、最も背の高いものを除く一部の前記支持台の上にスペーサが貼り付けられていてもよい。さらに、前記支持台として用いられる前記回路部品が樹脂モールド部品であってもよい。
【００１４】
また、本発明の水晶発振器においては、前記支持台は、前記第１の接続電極と前記第２の接続電極を接続するはんだの無い状態においても、前記水晶振動子を前記回路基板上に支持しうる位置に配置されていることを特徴とする。
【００１５】
また、本発明の水晶発振器は、前記第１の接続端子および前記第２の接続端子が、それぞれ前記水晶振動子および前記回路基板の最外縁より内側に位置することを特徴とする。
【００１６】
そして、本発明の電子装置は、上記の水晶発振器を用いたことを特徴とする。
【００１７】
このように構成することにより、本発明の水晶発振器においては、小型化と低価格化が実現できる。
【００１８】
また、本発明の電子装置においても、本発明の水晶発振器を用いることによって、性能の向上を図ることができる。
【００１９】
【発明の実施の形態】
図１に、本発明の水晶発振器の一実施例の分解斜視図を示す。また、図２に、その側面図を示す。さらに、図３に、水晶振動子の断面図および底面図を示す。図１および図２において、水晶発振器２０は、平板状の回路基板１の上にパッケージングされた水晶振動子２を搭載して構成されている。
【００２０】
ここで、回路基板１上には、トランジスタ５ａ、バリキャップダイオード５ｂ、チップコンデンサ６ａ、サーミスタ６ｂ等の回路部品が搭載されている。トランジスタ５ａとバリキャップダイオード５ｂは樹脂モールド品であって、背の高さが略一致しており、天面が平面状に形成されている。また、回路基板１上には、同じく回路部品である印刷抵抗４も形成されている。印刷抵抗４の一部はトランジスタ５ａ、バリキャップダイオード５ｂの下にも形成されている。これらの回路部品によって発振回路（共振素子を除く）や温度補償回路が構成される。回路基板１上には、さらに４隅に第２の接続電極８が形成されており、回路基板１の裏面には、それらと対向するように外部接続電極７が形成されている。
【００２１】
一方、水晶振動子２は、上部の開口した箱形のセラミック容器９と、セラミック容器９の中に導電性接着剤１２によって片持ち構造で支持された水晶片１３と、セラミック容器９の開口部を覆う金属蓋１０とで構成されている。セラミック容器９と金属蓋１０で水晶振動子２のパッケージを構成していることになる。セラミック容器９の平板状の底面には、４隅に第１の接続電極１１（１１ａ、１１ｂ、１１ｃ、１１ｄ）が形成されている。このうち第１の接続電極１１ａと１１ｃはセラミック容器９の内部に設けられた接続配線１５を介して水晶片１３に設けられた電極と電気的に接続されている。また、第１の接続電極１１ｂと１１ｄは、同じく接続配線１５を介して金属蓋１０と電気的に接続されている。なお、第１の接続電極１１ｂと１１ｄは、実際には回路基板１のグランド電極と接続されることになるグランド電極で、これと接続されることによって金属蓋１０が接地され、電気的なシールドとして機能することになる。なお、水晶片は片持ち構造に限るものではなく両持ち構造でも構わない。
【００２２】
水晶発振器２０は、回路基板１上に水晶振動子２を配置し、水晶振動子２の第１の接続電極１１のそれぞれと回路基板１上の第２の接続電極８のそれぞれをはんだ３を介して電気的に接続することによって構成されている。この際、はんだ３の量は、第１の接続電極１１や第２の接続電極８の面積との関係で、はんだ３が溶けているときに表面張力によって回路基板１と水晶振動子２を互いに引きつけ合う際に、水晶振動子２のセラミック容器９の底面とトランジスタ５ａおよびバリキャップダイオード５ｂの天面とが接触することによって両者がそれ以上近づくのを阻止する程度の量に設定されている。したがって、水晶発振器２０においては、回路基板１上で水晶振動子２をはんだ３によって引きつけ、その引きつけた水晶振動子２をトランジスタ５ａおよびバリキャップダイオード５ｂによって支持しているという構造になる。この場合、トランジスタ５ａとバリキャップダイオード５ｂは水晶振動子２を支持する支持台としての役割を果たす。
【００２３】
なお、図２（ａ）は水晶振動子２を回路基板１に搭載する前の状態を示しているが、ここで水晶振動子２の第１の接続電極１１上にははんだ３との接合を容易にするためにはんだペースト１４が設けられている。
【００２４】
ところで、本発明の水晶発振器２０においては、セラミック容器９の底面とトランジスタ５ａおよびバリキャップダイオード５ｂの天面との間には、両者を接着するための接着剤や樹脂などは存在しない。また、はんだ３は、溶けていないときに回路基板１と水晶振動子２の電気的な接続の役割および水晶振動子２を回路基板１に引きつける役割を担うとともに、溶けているときには表面張力によって両者を引きつけて両者が離れたり位置ずれしたりしないようにする役割を担っており、水晶振動子２を所定の高さに支持するという機能はない。したがって、例えば、はんだ３の量が一定以上多いと、回路基板１と水晶振動子２の間隔はトランジスタ５ａやバリキャップダイオード５ｂの高さより大きくなり、はんだのみによって水晶振動子が所定の高さに支持される形になるが、そのような状態のものは本発明には含まれない。
【００２５】
一方、回路部品で水晶振動子を支持するという構成を取る以上、回路基板上における支持台となる回路部品の配置にも注意がいる。具体的には、水晶振動子２の第１の接続電極１１と回路基板１の第２の接続電極８がはんだで接続されていない状態においても、水晶振動子２が回路基板１上において支持台となる回路部品（トランジスタ５ａおよびバリキャップダイオード５ｂ）の上に支持されていて、滑り落ちたりしないように、回路部品の方を配置する必要がある。
【００２６】
このように構成された水晶発振器２０においては、平板状の回路基板１を用いているために、特許文献１のような箱形の回路基板を用いる場合に比べて低価格化を図ることができる。また、平板状の回路基板であるために電極や抵抗の印刷が容易であり、回路部品の搭載にも特別な工夫はいらず、製造コストを低減することができる。また、箱形の回路基板のような側壁が無いために、回路を形成する面積が増え、結果的に回路基板、ひいては水晶発振器の小型化を図ることができる。
【００２７】
また、水晶振動子の方も、特許文献２のような突出した外部端子を設けたりする必要がなく、一般的な面実装型のパッケージ（セラミック容器）を利用できるので、不必要なコストの上昇を防ぐことができる。
【００２８】
さらに、水晶振動子を回路部品の天面で支持し、しかもはんだを介して水晶振動子を回路基板に引きつけるようにしているために、特許文献３のような柱部材だけで水晶振動子を支持する構造に比べて、たわみなどによる歪みがはんだの弾性力によって緩和されるため水晶発振器全体の機械的な強度が向上する。また、柱部材の場合は高さのばらつきがあると機械的に接続できないものが発生したりする可能性があるが、はんだを介して接続する場合には、はんだが溶けているときの表面張力によってはんだが最適な形状に変形するため、機械的な接続不良は発生しにくい。さらに、柱部材を介して電気的な接続も行う場合には、柱部材の材質やそれに形成された電極の位置によっては、仮に機械的には接続されていても電気的には接続されていないという状態になる可能性がある。この点についても、はんだのみで接続する場合には、機械的に接続されていれば必ず電気的にも接続され、電気的な接続不良は発生しにくい。さらに、回路基板と水晶振動子との間の隙間の高さが最も背の高い回路部品の高さ以上にならないため、水晶発振器の低背化が実現できる。
【００２９】
なお、回路基板と水晶振動子との電気的な接続は、回路配線的には２カ所（水晶振動子２で言えば第１の接続電極１１ａと１１ｃ）あればよいが、水晶振動子２の場合は４カ所としている。これは、１つには水晶振動子とのはんだによる接続が２点の場合は、たとえ回路部品で支持していても水晶発振器としての機械的な強度が不足したり、回路基板への水晶振動子の搭載時に水晶振動子の位置が不安定になったりするのを防止するためである。したがって、回路基板と水晶振動子とのはんだによる接続は３カ所以上ある方がよい。
【００３０】
また、別の理由として、水晶振動子の金属蓋を接地して電気的なシールドをして機能させるという目的がある。水晶発振器の中でも特に温度補償水晶発振器においては外部からの電磁ノイズに対する周波数安定性が求められる。そこで、水晶振動子の金属蓋をシールドとして利用するためにも、回路基板と水晶振動子とのはんだによる接続は３カ所以上ある方がよい。
【００３１】
水晶振動子の底面における第１の接続電極の配置（回路基板における第２の接続電極の配置でもある）は、図３に示した水晶振動子２のように少なくとも四角形の４隅にあるのが望ましい。また、第１の接続電極が３つしかない場合には、例えば隣接する２つの隅部にそれぞれ設け、残りの１つは残りの２つの隅部の中間に設けるのが望ましい。なお、第１の接続電極のどれが水晶片と接続される電極になるかあるいはグランド電極になるかは特に限定されるものではない。
【００３２】
図４に、本発明の水晶発振器の別の実施例の側面図を示す。図４において、図１乃至図３と同一もしくは同等の部分には同じ記号を付し、その説明を省略する。
【００３３】
図４に示した水晶発振器３０においては、トランジスタ５ａの高さがバリキャップダイオード５ｂの高さより低く、高さの不足を補うためにトランジスタ５ａの天面にはスペーサ２１が貼り付けられている。これによって、トランジスタ５ａとバリキャップダイオード５ｂはほぼ同じ高さとなり、水晶発振器２０の場合と同様に水晶振動子２に対する支持台の役割を果たすことができる。
【００３４】
このように、支持台として利用したい回路部品の高さに許容範囲以上のばらつきがある場合には、最も背の高いものを除く一部の支持台の上にスペーサを貼り付けておいてもかまわない。その際には、支持台とスペーサとは接着剤などによって貼り合わせる必要があるが、スペーサと水晶振動子の間は接触のみであり、接着剤や樹脂などで接着させることはない。そして、この場合も、部品数や工数は少し増えるが、水晶振動子２０の場合と全く同じ作用効果を得ることができる。
【００３５】
なお、上記の２つの実施例においては、必ず一部の回路部品を支持台として利用していたが、これに限定されるものではない。例えば、支持台として利用できる回路部品が１つしかなく、しかもその１つだけでは水晶振動子を支持できないという場合も考えられる。そのようなときには、少なくとも１つの回路部品を支持台として用いれば、他の支持台は回路部品としての機能を果たさないものであっても構わない。すなわち、支持台としてのみ機能する部品を用いても構わない。但し、その場合にも、支持台としてのみ機能する部品は支持台として用いられる最も背の高い回路部品より背を高くすることはない。
【００３６】
ところで、上記の２つの実施例の水晶発振器においては、第１の接続電極１１がセラミック容器９の底面の４隅において、その縁部に接して形成されている。また、第２の接続電極８も回路基板１の上面の４隅において、その縁部に接して形成されている。そして、両者の間に設けられているはんだ３は高さ方向中央部が両端部より細くなる鼓状になっている。これは、はんだ３が溶けているときに、その表面張力によって形作られる形状である。そのため、はんだ３は平面視で水晶振動子２や回路基板１の外縁からはみ出すことはない。
【００３７】
ただ、はんだ３のこのような形状は、第１の接続電極１１と第２の接続電極８の面積、およびはんだ３の量によって変化するものであり、例えばはんだ３の量が少し多くなると、溶けている状態において水晶振動子２と回路基板１を表面張力で引きつけ合う性質は保っているものの、形状的には高さ方向中央部が両端部より太いビア樽状になる場合もある。このような場合、はんだ３が平面視で水晶振動子２や回路基板１の外縁からはみ出す可能性がある。はんだ３が水晶振動子２や回路基板１の外縁からはみ出すと、水晶発振器が搭載されたプリント基板などの上において、同じくプリント基板に搭載された他の部品と接触し、ショートしたりする可能性がある。そのため、それを避けるために面積的な余裕を持って配置する必要があり、実質的に水晶発振器の実装面積が大きくなるという不都合が考えられる。
【００３８】
そこで、図５に、この点を改善した、本発明の水晶発振器のさらに別の実施例の側面図を示す。図５において、図１乃至図３と同一もしくは同等の部分には同じ記号を付し、その説明を省略する。
【００３９】
図５に示した水晶発振器４０において、水晶振動子２’においては第１の接続端子１１’がセラミック容器９の底面の最外縁より内側に位置している。また、回路基板１’においても第２の接続端子８’および外部接続電極７’が最外縁より内側に位置している。
【００４０】
このように構成された水晶発振器４０においては、回路基板１’と水晶振動子２’を接続するはんだが、図５で右側に位置するはんだ３のように高さ方向中央部が太くなっても、はんだ３が水晶振動子２’や回路基板１’の外縁からはみ出すことがなくなる。そのため、水晶発振器をプリント基板などに搭載する際に他の部品との間隔を狭くすることができ、実装面積の小型化を図ることができる。
【００４１】
上記の各実施例のような構造の水晶発振器においては、回路基板を子基板が前後左右に複数接続された形の親基板を分割して形成するものとし、製造の際に親基板の状態で各回路基板上に各回路部品や水晶振動子２を搭載し、最後に親基板を各回路基板に分割して個々の水晶発振器として完成させるという方法を採用することが多い。
【００４２】
しかしながら、上記の各実施例の水晶発振器においては、水晶振動子の平面視での外形と回路基板の平面視での外形が一致している。そのため、親基板の状態で水晶振動子を搭載すると、互いに隣接する水晶振動子の間に隙間が存在しなくなる。このような場合、ダイシングによって親基板を子基板に分割する時には、親基板の裏側からダイサーの刃を当てるしかない。しかしながら、水晶振動子の天面が回路基板に対して傾斜していたり、複数の水晶振動子で回路基板からの高さにばらつきがあると、親基板が傾いてダイシングが困難になる可能性がある。
【００４３】
そこで、図６に、この点を改善した、本発明の水晶発振器のさらに別の実施例を示す。図６（ａ）は水晶発振器の側面図を、図６（ｂ）はダイシング前の親基板の平面図を示している。図６において、図５と同一もしくは同等の部分には同じ記号を付し、その説明を省略する。
【００４４】
図６に示した水晶発振器５０においては、水晶振動子２’’を、その平面視での外形が回路基板１’の平面視での外形より全体に少し小さくなるように、セラミック容器９’や金属蓋１０’を形成している。第１の接続端子１１’’もセラミック容器９’の底面に形成されている。そして、回路基板１’は水晶振動子４０の場合と同様に第２の接続端子８’および外部接続電極７’が最外縁より内側に位置していて、第１の接続端子１１’’と第２の接続端子８’が互いに対向するようになっている。
【００４５】
このように構成された水晶発振器５０においては、回路基板１’の外形に対して水晶振動子２’’の外形が小さく形成されているため、図６（ｂ）に示すように親基板２２の状態で水晶振動子２’’が搭載されていても、互いに隣接する水晶振動子２’’の間に隙間が存在し、親基板２２の部品搭載面側からダイシングライン２３が見通せる。そのため、親基板の部品搭載面側からダイサーの刃を当てることができるので、水晶振動子などの搭載部品によってダイシングが困難になるという問題を回避できる。
【００４６】
なお、上記の各実施例においては、支持台となる回路部品として樹脂モールドされたトランジスタやバリキャップダイオードを用いるとしているが、もちろんそれに限定されるものではなく、例えば樹脂モールドかどうかにかかわらずそれらの個別素子を含むようなＩＣを支持台として用いても構わないものである。
【００４７】
図７に、本発明の電子装置の一実施例の斜視図を示す。図７において、電子装置の１つである携帯電話１００は、筐体１０１と、その中に配置されたプリント基板１０２と、プリント基板１０２上に基準信号源として実装された本発明の水晶発振器２０を備えている。
【００４８】
このように構成された携帯電話１００においては、本発明の水晶発振器２０を用いているため、小型化と低価格化を図ることができる。
【００４９】
なお、図７においては電子装置として携帯電話を示したが、電子装置としては携帯電話に限るものではなく、本発明の水晶発振器を用いたものであれば何でも構わないものである。
【００５０】
【発明の効果】
本発明の水晶発振器によれば、平面状の底面に第１の接続電極が設けられたパッケージを有する水晶振動子と、一方主面に回路部品が搭載されるとともに第１の接続電極と１対１で対応する第２の接続電極が設けられた平板状の回路基板とを有し、水晶振動子が回路基板上において、回路基板に搭載された少なくとも１つの支持台の天面と接触することによって機械的に支持されるとともに、水晶振動子の第１の接続電極が回路基板の前記第２の接続電極とはんだを介して電気的に接続されており、さらに支持台の中の最も背の高いものが回路部品からなることによって、小型化と低価格化が実現できる。
【００５１】
また、本発明の電子装置によれば、本発明の水晶発振器を用いることによって、小型化と低価格化を図ることができる。
【図面の簡単な説明】
【図１】本発明の水晶発振器の一実施例を示す分解斜視図である。
【図２】図１の水晶発振器の側面図である。
【図３】図１の水晶発振器に用いた水晶振動子を示す断面図および底面図である。
【図４】本発明の水晶発振器の別の実施例を示す側面図である。
【図５】本発明の水晶発振器のさらに別の実施例を示す側面図である。
【図６】本発明の水晶発振器のさらに別の実施例を示す図で、（ａ）は水晶発振器の側面図を、（ｂ）は水晶発振器に分割する前の親基板の平面図を示している。
【図７】本発明の電子装置の一実施例を示す斜視図である。
【符号の説明】
２０、３０、４０、５０…水晶発振器
２、２’、２’’…水晶振動子
９、９’…セラミック容器（パッケージ）
１０、１０’…金属蓋（パッケージ）
１１（１１ａ、１１ｂ、１１ｃ、１１ｄ）、１１’、１１’’…第１の接続電極
１２…導電性接着剤
１３…水晶片
１４…はんだペースト
１５…接続配線
１、１’…回路基板
３…はんだ
４…印刷抵抗
５ａ…トランジスタ（回路部品）
５ｂ…バリキャップダイオード（回路部品）
６ａ…チップコンデンサ（回路部品）
６ｂ…サーミスタ（回路部品）
７、７’…外部接続電極
８、８’…第２の接続電極
２１…スペーサ
２２…親基板
２３…ダイシングライン
１００…携帯電話
【図１】
2004222206.tif 000003
【図２】
2004222206.tif 000004
【図３】
2004222206.tif 000005
【図４】
2004222206.tif 000006
【図５】
2004222206.tif 000007
【図６】
2004222206.tif 000008
【図７】
2004222206.tif 000009